(57)【特許請求の範囲】
【請求項１】
前方にバイザーの付いたヘルメットのシェルの開口縁近傍内面の前方左右、後方左右４個所にハンモックを取り付けるための対をなすハンモック掛具を形成し、該ハンモック掛具にハンモックの脚部に形成された係止具を係止固着し、該ハンモックの係止具近傍の上記脚部に係合孔を穿設すると共に、該係合孔にヘッドバンドの固着片を係着ピンで取付けるヘルメットであって、
前記ハンモックは可撓性樹脂材よりなり通孔の穿設された天井部から前記脚部が分岐される一体成形の単一体で形成され、
顔面保護用の保護シールド面を支持するための保持フレームに穿設された取付け通孔と上記ヘッドバンドの固着片に形成されたスリット孔とに上記係着ピンを挿入して上記保護シールド面を支持するための保持フレームとヘッドバンドとを共締めするために該係着ピンの先端係止部を前記バイザー側に位置するハンモックの２つの脚部に穿設された上記係合孔に係合固着し、更に、前記保持フレームは可撓性素材で形成されると共に縦方向に穿設された長孔状レールを備え、該長孔状レールに上記保護シールド面に取付けたスライダーを介して該保護シールド面を摺動自在に取付けた保護シールド面保持フレームをハンモックに取付けたヘルメットにおいて、
前記保持フレームに穿設された縦方向の長孔状レールは、該保持フレームの中央部に長い長孔状レール、左右には中央部より短い長孔状レールを穿設して成ることを特徴とする保護シールド面保持フレームをハンモックに取付けたヘルメット。
【発明の詳細な説明】
【技術分野】
【０００１】
本発明は、保護シールド面保持フレームをハンモックに取付けたヘルメットに関するものであり、特に、ヘルメットのシェル（帽体）の開口縁内面近傍の前方左右、後方左右４点で支持されるハンモックを備え、且つ、該ハンモックに保護シールド面を支持する保持フレームを取付けたヘルメットに関するものである。
【背景技術】
【０００２】
ヘルメットのシェル（殻体、帽体）にハンモックを支持するに当り、ヘルメットのシェルに形成されるハンモック等を支持するための支持部の個数により８点支持型のものと４点支持型のもの、或いは６点支持型のものが存在する。前記８点支持型のものにおいては、ヘルメットのシェルの開口縁近傍内面の側頭部から後頭部にかけてハンモックを支持するための支持部を多くの支持個数で確実に保持することができるから、ヘルメットの前頭部におけるシェル内部に保護シールドを取付ける保持フレームを設けるための広いスペースを採ることができる。他方、４点支持型のものにおいては、シェル開口部近傍内面に略等間隔に４個の支持位置が配置されているため、前方の支持機構がシェル内前方空間を圧迫し、ハンモック前方におけるシェル空間内に、保護シールド面を取付ける保持フレーム用の広いスペースを得ることが難しい。
【０００３】
ヘルメットのシェル（帽体）にハンモックの脚部の係止部を係合するために８点で支持する８点支持型のものであって、シェル内前方の空間に保護シールド面を取付けるための保持フレーム（案内部）を設けたものが提案されている（特許文献１）。
【特許文献１】実公平０４−０２１７８８号公報
【０００４】
なお、ハンモックをシェルに支持するための支持部の個数は定かではないが、前記特許文献１に開示のヘルメット同様に、シェル内前方の空間にシールド面を取付けるためのブラケット板（保持フレーム）を設けたものとして、後掲する特許文献２に開示された技術がある。
【特許文献２】特開２００６−９７１６４号公報
【発明の開示】
【発明が解決しようとする課題】
【０００５】
ハンモックをシェルに４点で支持する４点支持型のヘルメットにおいては、シェル前方に大きな間隔と幅広いスペースが取りにくく、斯かる希少スペースに保護シールド面を取付けるために、問題が発生してきた。また、上記従来例においては、保護シールド面を取付けるための保持フレームを直接ヘルメットに取付ける固着手段を採用していた。従来例として挙示した上記特許文献２に開示のものも然様な構造のものである。
【０００６】
図８は、斯かる従来例に当たるヘルメットの全体斜視図である。同図中、１１はシェル（帽体）、１２はブラケット板（保持フレーム）である。該ブラケット板（保持フレーム）は、保護シールド面１３を支持するための保持フレームの機能を果たすものであるので、以後保持フレームと称する。該ブラケット板、即ち、保持フレーム１２は、帯状にヘルメットの後部まで延長されており、ヘルメットのシェル１１に直接、リベット止めして固定されている（特許文献２の段落［００２１］における記載）。尚、図中、１４は、保持フレーム１２の中央部に形成された長孔状レール、１５，１５は同じく、左右両サイドに形成された案内レールを示すと共に、１６は、前記案内レールを上下に摺動するスライダーを示す。図におけるヘルメットの態様は、保護シールド面１３が、保持フレーム１２に支持されて下方に引き伸ばされ、ヘルメット装着者の顔面を保護する使用状態を示している。不使用時には、保護シールド面１３を上方に摺動、押上げて格納状態を維持させることができる（請求項２）。
【０００７】
このような構成のものに於いては、保護シールド面１３を、支持するための保持フレーム１２を、直接ヘルメットのシェル１１にリベット止めして取付けており、かくては、シェル１１に保持フレーム１２を取付けるための過重なリベット止め機構と組立のための煩雑な作業を余儀なくされ、該保持フレーム１２を取替えたり、メンテナンスのために着脱、位置変更を行う等の作業を簡単に行なうことが出来ず、且つ、コストの低下も見込めなかった。
【０００８】
斯かる状況下において、シェルにハンモックを４点で支持する４点支持型ヘルメットにおいて、ヘルメットにおける前方スペースの希少な空間部において、如何に簡易に保護シールド面を取付けるための保持フレームを、ヘルメットに取付けるかが技術上の課題となってきており、本発明は、このような課題を解決することを目的として提案されたものである。
【課題を解決するための手段】
【０００９】
本発明は、上記目的を達成するために提案されたものであり、請求項１記載の発明は、
前方にバイザーの付いたヘルメットのシェルの開口縁近傍内面の前方左右、後方左右４個所にハンモックを取り付けるための対をなすハンモック掛具を形成し、該ハンモック掛具にハンモックの脚部に形成された係止具を係止固着し、該ハンモックの係止具近傍の上記脚部に係合孔を穿設すると共に、該係合孔にヘッドバンドの固着片を係着ピンで取付けるヘルメットであって、
前記ハンモックは可撓性樹脂材よりなり通孔の穿設された天井部から前記脚部が分岐される一体成形の単一体で形成され、
顔面保護用の保護シールド面を支持するための保持フレームに穿設された取付け通孔と上記ヘッドバンドの固着片に形成されたスリット孔とに上記係着ピンを挿入して上記保護シールド面を支持するための保持フレームとヘッドバンドとを共締めするために該係着ピンの先端係止部を前記バイザー側に位置するハンモックの２つの脚部に穿設された上記係合孔に係合固着し、更に、前記保持フレームは可撓性素材で形成されると共に縦方向に穿設された長孔状レールを備え、該長孔状レールに上記保護シールド面に取付けたスライダーを介して該保護シールド面を摺動自在に取付けた保護シールド面保持フレームをハンモックに取付けたヘルメットにおいて、
前記保持フレームに穿設された縦方向の長孔状レールは、該保持フレームの中央部に長い長孔状レール、左右には中央部より短い長孔状レールを穿設して成る保護シールド面保持フレームをハンモックに取付けたヘルメットを提供するものである。
請求項１記載の発明によれば、ハンモックの脚部に穿設された係合孔に、保護シールド面を支持するための保持フレームに穿設された取付け通孔と上記ヘッドバンドの固着片に形成されたスリット孔とを介して上記係着ピンで上記保持フレームとヘッドバントとを共締め固着したから、保持フレームの取付けが簡易である。
また、この発明によれば、保持フレームの中央部に長い長孔状レール、左右には中央部より短い長孔状レールを穿設して成る保護シールド面保持フレームをハンモックに取付けたから、保護シールド面が安定する。
【発明の効果】
【００１０】
請求項１記載の発明は、シェルの開口縁近傍内面の前方左右、後方左右４個所にハンモックを取付けるための対をなすハンモック掛具を形成し、該ハンモック掛具にハンモックの脚部に形成された係止具を係止固着し、該ハンモックの係止具近傍の上記脚部に係合孔を穿設し、保護シールド面を支持するための保持フレームに穿設された取付け通孔と上記ヘッドバンドの固着片に形成されたスリット孔とに上記係着ピンを挿入して上記保護シールド面を支持するための保持フレームとヘッドバンドとを共締めするために該係着ピンの先端係止部を前記バイザー側に位置するハンモックの２つの脚部に穿設された上記係合孔に係合固着したものであるところ、ハンモックを４点で支持するヘルメットでありながら、ヘッドバンドの装着と同時に、ハンモック脚部の係合孔に簡易に保持フレームを固着するので、簡単な機構で保持フレームの取付け、取外しを簡易迅速に行うことができる。
そして、上記保持フレームは可撓性素材で形成されているので、上記ハンモックの係合孔にヘッドバンドと共締めするに当たり、保持フレームの取付け通孔が柔軟に係着ピンに対応して装着、取外しを円滑に完遂することができ、格別なコストも掛からない。
また、上記保持フレームには縦方向の長孔状レールが穿設され、該長孔状レールに、上記保護シールド面に取付けたスライダーを介して保護シールド面を摺動自在に取付けたので、保護シールド面の稼動状況と格納状況とを単に該保護シールドを、上記長孔状レールに沿って摺動させるだけで、簡単に使い分けることができる。
【００１１】
この発明は、上記の効果に加えて、上記保持フレームに穿設された縦方向の長孔状レールは、該保持フレームの中央部に長い長孔状レール、左右には中央部より短い長孔状レールを穿設して成る保護シールド面保持フレームをハンモックに取付けたヘルメットであるから、中央部の長い長孔状レールによって保持フレーム中央部の長い格納経路に十分対応することができると共に、３本の長孔状レールによって、保護シールド面が極めて安定的に保持フレームに取付けられ、ヘルメット装着者の作業能率の向上に役立たせることができる。
【発明を実施するための最良の形態】
【００１２】
本発明は上記目的を達成するために、前方にバイザーの付いたヘルメットのシェルの開口縁近傍内面の前後左右４個所にハンモックを取付けるための対をなすハンモック掛具を形成し、該ハンモック掛具にハンモックの脚部に形成された係止具を係止固着し、該ハンモックの係止具近傍の上記脚部に係合孔を穿設すると共に、該係合孔にヘッドバンドの固着片を係着ピンで取付けるヘルメットに於いて、顔面保護用の保護シールド面を支持するための保持フレームに穿設された取付け通孔と上記ヘッドバンドの固着片に形成されたスリット孔とに上記係着ピンを挿入して上記保護シールド面を支持するための保持フレームとヘッドバンドとを共締めするために該係着ピンの先端係止部を前記バイザー側に位置するハンモックの２つの脚部に穿設された上記係合孔に係合固着し、更に、前記保持フレームは可撓性素材で形成されると共に縦方向に穿設された長孔状レールを備え、該長孔状レールに上記保護シールド面に取付けたスライダーを介して該保護シールド面を摺動自在に取付けた保護シールド面保持フレームをハンモックに取付けて、ハンモックを４点で支持する４点支持型ヘルメットでも、保護シールド面保持フレームを簡易迅速にシェル前方に装着することを実現した。
【実施例１】
【００１３】
本発明の好適な実施例につき、図１〜図７に従って詳述する。図１は、ヘルメットの開口縁を上にして上方からみた上面図であり、図中１は、ヘルメットの本体を組成するシェル（ｓｈｅｌｌ：殻体、帽体）である。該シェルは適宜の塑性加工素材、例えば、ＨＤＰＥ（ｈｉｇｈ  ｄｅｎｓｉｔｙ  ＰＥ：高密度ポリエチレン）等の合成樹脂を素材として熱可塑成形することができる。１Ａは、バイザー（ｖｉｓｏｒ：覆い板、日よけ板）であり、シェル１本体と一体成形して形成する。図中、１Ｂ，１Ｂは、シェルの開口縁内面近傍の前方左右、後方左右に設けられたハンモック掛具であり先端が内側に曲がった鈎状を呈して左右に一対設けられている。シェル開口縁に略等間隔に配されてハンモックの係止具を４点の支持個所で掛止する部材であり、このものも亦、シェル１本体と一体性を成すようにシェルと一体成形されて形成される。
【００１４】
図２は、上記シェル１の内面側に取付けられるハンモック単体を、前方を左側にして内側から平坦に展開した状態の上面図である。同図中、２は、ハンモックであり、シェルに加わる外力を間接に受けて装着者の頭部に衝撃を与えることがないように外力を吸収緩和する作用を有する部材である。ハンモックの素材は、十分な型保持性能を有しながら外力に柔軟に対処できる弾力性と、シェルのハンモック掛具１Ｂ，１Ｂへの装着、取り外しに際し、柔軟に対応することができるように可撓性を有している。このようなハンモックの素材は、成形性がよく、適宜の型保持性と可撓性とを有するもの、例えば、ポリエチレンの如き合成樹脂で成形することができる。
【００１５】
同図中、２Ａは、ハンモックの天井部であり、ハンモックに弾力性と通気性を付与するために該天井部２Ａには多数の矩形状の通孔２Ｂが穿設されている。２Ｃは、ハンモックの天井部２Ａからハンモック２を支持するために略等間隔に分岐されたハンモック脚部であり、上記シェル１に対してハンモック２を４点で支持するために、当然ながら４本に分岐された脚部を備えている（２Ｃ，２Ｃ，２Ｃ，２Ｃ）。
【００１６】
同図中、２Ｄは、ハンモック係止具であり、ハンモック２を上記ヘルメットのシェル１に取付け固着するための部材である。該ハンモック係止具２Ｄは、ハンモック脚部２Ｃの下端部にハンモックの天井部２Ａ、同脚部２Ｃと共に一体成形して形成される。上記ハンモック係止具２Ｄは、上記シェル１のハンモック掛具１Ｂ，１Ｂにスライド係合するためにハンモック脚部２Ｃの左右両側のシェル内壁面側に突出形成された係止具スライド部２Ｄ１，２Ｄ１と該係止具スライド部２Ｄ１，２Ｄ１の上昇を抑えるハンモック脚部２Ｃの略Ｔ字状をした最下縁で構成される係止具上昇停止ストッパ２Ｄ２及び上記係止具スライド部２Ｄ１，２Ｄ１の不慮離脱を抑えるハンモック脚部のシェル内壁面側において左右に突出形成された対をなす係止具離脱停止ストッパ２Ｄ３，２Ｄ３とからなる。
【００１７】
上記ハンモック係止具２Ｄを、上記シェル１のハンモック掛具１Ｂ，１Ｂに掛け合わせるためには、可撓性を具える上記ハンモック脚部２Ｃの先端の係止具スライド部２Ｄ１，２Ｄ１を、上記ハンモック掛具１Ｂ，１Ｂ間に挟持させつつ上方に摺動させて装着する。その際、前記係止具上昇停止ストッパ２Ｄ２が上記ハンモック掛具１Ｂ，１Ｂの下端に当接して該係止具スライド部２Ｄ１，２Ｄ１のスライド上昇が停止される。なお、上記係止具スライド部２Ｄ１，２Ｄ１の装着のときに、該係止具スライド部２Ｄ１，２Ｄ１の手前にある係止具離脱停止ストッパ２Ｄ３，２Ｄ３が上記装着の妨げとならないように上記係止具スライド部２Ｄ１，２Ｄ１の上端部より上方をシェル内方側に折り曲げて上記ハンモック掛具１Ｂ，１Ｂに引っ掛けスライドを誘導することができる。
【００１８】
他方、上記ハンモック掛具１Ｂ，１Ｂに装着されたハンモック係止具２Ｄは、該ハンモック係止具スライド部２Ｄ１，２Ｄ１をスライド掛け合わせた後、係止具離脱停止ストッパ２Ｄ３，２Ｄ３が存在し、このものが、ハンモック掛具１Ｂ，１Ｂの上端に当接する位置に柔軟に対応するので、不意に該係止具スライド部２Ｄ１，２Ｄ１が上記ハンモック掛具１Ｂ，１Ｂから下方に離脱することが回避される。ところで、上記係止具スライド部２Ｄ１，２Ｄ１を上記ハンモック掛具１Ｂ，１Ｂから取り外すときは、上記係止具離脱停止ストッパ２Ｄ３，２Ｄ３をハンモック脚部２Ｃの可撓性を利用してシェル内側に折り曲げて上記掛具１Ｂ，１Ｂへの離脱停止状況を外し、しかる後に、上記係止具スライド部２Ｄ１，２Ｄ１をスライド下降させて係合を離脱させることができる。
【００１９】
図２中、２Ｅは、ハンモック脚部２Ｃに穿設された係合孔であり、該係合孔２Ｅを通じて他の部材を取付けることができる。即ち、後に詳述する保護シールド面の保持フレームやヘッドバンドを係着ピンにて前記係合孔２Ｅに係合させることによって係合固着を実践するものである。即ち、本発明は、後に詳述する如く、ハンモックの上記係合孔２Ｅを利用することによって、別途シェル１にリベット等の支持の機構を備えることなしに、上記保持フレーム及び延いては保護シールド面、並びに、ヘッドバンドをヘルメットに取付けることを可能とするものである。
【００２０】
図３（ａ）は、ハンモックの脚部２Ｃ下方部に設けられたハンモック係止具２Ｄを、その端部を上にしてシェル１の側から見た正面図であり、図３（ｂ）は、その側面図である。ハンモック係止具スライド部２Ｄ１と同係止具離脱停止ストッパ２Ｄ３が、ハンモック係止具２Ｄ近傍のハンモックの脚部２Ｃに関して、シェル１の内側壁と間隔をもたせると共に、該ハンモック係止具２Ｄを前記ハンモック掛具１Ｂ，１Ｂへの装着と取り外しを便宜にしている態様が示されている。図３（ｃ）は、ハンモックの脚部下端部に設けられたハンモック係止具２Ｄを、シェルのバイザー１Ａの存する右側のハンモック掛具１Ｂ，１Ｂに装着し、開口縁を上方にした状態を示すシェル１の内側から見た部分正面図である。ハンモック係止具２Ｄがシェル１のハンモック掛具１Ｂ，１Ｂに確実に装着されている態様が示されている。
【００２１】
図４は、バイザー１Ａの存する前方のハンモック脚部２Ｃの上記係合孔２Ｅに係着ピンを介して取付けた保護シールド面の保持フレームをハンモックの脚部先端を上方にしてシェル内側からみた正面図である（保持フレームとハンモックとの関連性のみ）。図中、３は、保護シールド面保持フレームである。該保護シールド面保持フレーム３は、型保持性を有する板状物であって、外力に柔軟に対応できるように可撓性を備える素材で成形されている。成形性の良い熱可塑性樹脂素材、例えば、ポリエチレン、ポリスチレンなどの合成樹脂で成形することができる。図中、３Ａは、該保持フレーム３に穿設された取付け通孔を示す。該取付け通孔３Ａに係着ピンを挿入して、該係着ピンの先端係止部をハンモックの脚部２Ｃに形成した係合孔２Ｅに係止して保持フレーム３をハンモックに取付ける。３Ｂは保護シールド面を取付けるための長孔状レールを示す。図示の実施例では、中央部の長孔状レール３Ｂが長く形成されており、左右両側の長孔状レール３Ｂ，３Ｂは中央部のものより短い寸法の長さを呈している。図示の取付状態に、更に、後述するヘッドバンドを共締めするために、予めヘッドバンドのスリット孔が挿通された係着ピンが該取付け通孔３Ａに挿入され、しかる後に、係着ピンの先端係止部がハンモックの脚部２Ｃの係合孔２Ｅに係止される。
【００２２】
図５は、前述したヘッドバンドの下縁を上方にして内方からみた部分正面図である。図中、４は、ヘッドバンドで、４Ａはヘッドバンド本体を示す。該ヘッドバンド４は、型保持性能を有しつつ柔軟な属性、即ち、可撓性を備える素材で成形されている。上記ヘッドバンド本体４Ａには通気性と可撓性を誘導するために各種の円孔や楕円孔が穿設されている。図中、４Ｂは、取付片であり、ハンモックの係合孔２Ｅに取付けるために上方（図では下方）に延長した部分である。該取付片４Ｂには複数本のスリット孔４Ｃが穿設されている。該スリット孔４Ｃに係着ピン５を挿通し、更に、上記保持フレーム３の取付け通孔３Ａに挿通させて上記ハンモックの係合孔２Ｅに係合固着させるものである。即ち、ヘッドバンド４と保持フレーム３は、係着ピン５を介して上記ハンモックの係合孔２Ｅに共締めして固着される。
【００２３】
図６（ａ）は、前記ヘッドバンド４と保持フレーム３とをハンモック２の係合孔２Ｅに共締めした形態の断面図を示す。同図に於いて５は、既述のとおり、係着ピンであり、５Ａはピンの頭部、５Ｂはピンの芯、５Ｃはピンの先端係止部を示す。図６（ｂ）は、シェル側からみたハンモックの係合孔２Ｅに対して保持フレームとヘッドバンドを共締めして係合固着した係着ピン５の先端係止部５Ｃの形態を示す図である（ヘッドバンド省略）。係着ピン５の先端係止部５Ｃは、ヘッドバンドの取付片４Ｂに穿設したスリット孔４Ｃと保持フレームの取付け通孔３Ａをヘッドバンド取付片と保持フレームの可撓性を通じて狭い間隙を力強く挿通して、最後は、ハンモックの係合孔２Ｅに係着して固定される。
【００２４】
図７は、上記保持フレーム３に保護シールド面を取付けた状態の前方正面図である（シェル、ハンモック、ヘッドバンドは省略）。図中、６は保護シールド面を、７はスライダーを示す。保護シールド面６は、透明その他の光透過性の素材の合成樹脂を成形して形成されるもので、装着者の顔面に合うように前面中央を頂部として湾曲している。保護シールド面は光透過性で、鮮明に対象物を目視可能なものあれば、ポリカーボネート、ポリエチレン等の合成樹脂等を素材として成形することができる。尚、該保護シールド面の下縁に、装着者の顔面に不慮の傷害が生起することがないようにエッジプロテクタ（縁部防護具）を取付け、又は一体成形すると、装着者の一層の安全性を担保することができる（プロテクタ、図示省略）。
【００２５】
図７中、７はスライダーであり、上記保護シールド面６の上端部に穿設されたスライダー取付孔６Ａに遊嵌装着されている。該スライダー７は軸状の芯を構成するウェブと該ウェブの両端から横方向に伸びるフランジよりなるもので、可撓性の合成樹脂素材で成形される。該スライダー７を上記保護シールド面６の上記スライダー取付孔６Ａに装着した上で、該スライダーの後方のフランジを、上記保持フレーム３の長孔状レール３Ｂに該長孔状レール両側の可撓性を利用して力強く装着して取付ける。若しくは、上記スライダー７の前後面何れ一方のフランジをスライダーのウェブたる軸状の芯より外して、該長孔状レール３Ｂにスライダーの軸状の芯を挿入した後、他方の面から該長孔状レール３Ｂの両側を後部フランジと前部フランジとで挟持する如くフランジを押圧して取付けてもよい。該フランジの押圧の度合によってスライダー７の上記長孔状レールとの滑り具合を調節することができる。即ち、上記フランジを強度に押圧して長孔状レールにスライダーを装着するとスライダーの上下摺動に抵抗が生じ、活動的な労働の使用時にも、装着位置を確実に維持することができる。このようにして、上記保護シールド面６は、上記スライダー７を介して上記保持フレーム３の長孔状レール３Ｂに沿って、上下摺動自在に取付けられる。この構成によって、装着者が作業中は、保護シールド面６を下降させて使用状況におく（図示の態様）と共に、不使用時には、該保護シールド面６を前記長孔状レール３Ｂに沿って上昇スライドさせて格納位置に維持しておくことができる。
【００２６】
なお、本発明の実施例では、上記係着ピン５の芯５Ｂは軸状をなしており、左右のハンモック脚部２Ｃに形成した係合孔２Ｅに係合した状態で、上記係着ピン５の芯５Ｂはヒンジの要の機能を有する。従って、装着後の保護シールド面６を支持した保持フレーム３が、該係着ピン５の芯５Ｂをヒンジ軸として回動し、その結果、保護シールド面６が前後に揺動することが可能であり、装着者が該保護シールド面の装着角度や度合いを調節することに資する。
【００２７】
本発明においては、前記のとおり、保護シールド面６を取付けた保持フレーム３を、直接シェル１に取付けるものではなく、ハンモック２の係合孔２Ｅに上記係着ピン５を係着して取付けることができ、簡易な構成であり、保護シールド面の装着、取外し、メンテナンスが簡単、且つ、迅速に行うことができるものである。
【００２８】
尚、本発明はその基本的技術思想の範囲において各種の改変を施すことが可能であり、該改変された技術的事項にも、本発明の権利が及ぶことは当然のことである。
【図面の簡単な説明】
【００２９】
【図１】ヘルメットの底面図。
【図２】シェルに係止するハンモックの上面図。
【図３】（ａ）ハンモック脚部端部を上にした部分正面図、（ｂ）同側面図、（ｃ）ハンモック脚部端部の係止具をシェルに係止して上にした状態のシェル内側からみた部分正面図。
【図４】ハンモックの前方側脚部端部に保持フレームを装着する状態のハンモック脚部を上にした状態のシェル内側からみた部分正面図。
【図５】ヘッドバンド前方側をシェル内側からみた部分正面図。
【図６】（ａ）保持フレームとヘッドバンドを係着ピンでハンモックの係合孔に共締めする状態断面図、（ｂ）同、ハンモックのシェル内壁側からみた部分正面図。
【図７】保護シールド面とこれを支持する保持フレームとの装着状態を示す正面図。
【図８】従来例に該当するシールド面付きヘルメットの全体斜視図。
【符号の説明】
【００３０】
１        シェル
１Ａ      バイザー
１Ｂ      ハンモック掛具（対をなす）
２        ハンモック
２Ａ      天井部
２Ｂ      通気孔
２Ｃ      脚部
２Ｄ      ハンモック係止具
２Ｄ１    係止具スライド部
２Ｄ２    係止具上昇停止ストッパ
２Ｄ３    係止具離脱停止ストッパ
２Ｅ      係合孔
３        保持フレーム
３Ａ      取付け通孔
３Ｂ      長孔状レール
４        ヘッドバンド
４Ａ      ヘッドバンド本体
４Ｂ      取付け片
４Ｃ      スリット孔
５        係着ピン
５Ａ      ピン頭部
５Ｂ      ピンの芯
５Ｃ      ピンの先端係止部
６        保護シールド面
６Ａ      取付孔
７        スライダー
【図１】
0005259992.tif 000002
【図２】
0005259992.tif 000003
【図３】
0005259992.tif 000004
【図４】
0005259992.tif 000005
【図５】
0005259992.tif 000006
【図６】
0005259992.tif 000007
【図７】
0005259992.tif 000008
【図８】
0005259992.tif 000009